(57)【要約】【課題】光ディスク装置の組み立て工程において筐体にトレイを移動自在に保持するレールをトレイに設けられたレール部に取り付ける際、レール部の長手方向からの装着は工数増となる課題がある。【解決手段】筐体と、前記筐体から出没自在に取り付けられたトレイと、筐体とトレイを移動自在に保持する保持手段を有し、保持手段は筐体に設けられた第一のレール部とトレイに設けられた第二のレール部と第一、第二のレール部に摺動可能に嵌合したレールにより構成される光ディスク装置であって、第二のレール部は少なくとも１つの嵌合解除部を有すとともにレールは少なくとも１つの規制部を有し、第二のレール部の長手方向に垂直な方向からの第二のレール部と前記レールの嵌合及び取り外しが、嵌合解除部と規制部を重ねた場合においてのみ可能である様にした。【選択図】  図４
2005004885.tif 000002
【特許請求の範囲】
【請求項１】
筐体と、前記筐体から出没自在に取り付けられたトレイと、前記筐体と前記トレイを移動自在に保持する保持手段を有し、前記保持手段は前記筐体に設けられた第一のレール部と前記トレイに設けられた第二のレール部と前記第一、第二のレール部に摺動可能に設けられたレールにより構成される光ディスク装置であって、前記第二のレール部は少なくとも１つの規制解除部を有すとともに前記レールは少なくとも１つの規制部を有し、前記第二のレール部の長手方向に垂直な方向からの前記レールの前記第二のレール部への取り付け及び取り外しが、前記規制解除部と前記規制部を重ねた場合において容易に実現可能としたことを特徴とする光ディスク装置。
【請求項２】
第一のレール部と第二のレール部の少なくとも一方は、レールの長手方向の摺動に規制を有することを特徴とする請求項１記載の光ディスク装置。
【請求項３】
第二のレール部はトレイに複数個構成されるとともに前記各第二のレール部に設けられたレールがあり、前記第二のレール部の長手方向に垂直な方向からの前記レールの前記第二のレール部への取り付け及び取り外しが、少なくとも一組のレール部とレールにおいて可能であることを特徴とする請求項１記載の光ディスク装置。
【請求項４】
第二のレール部はトレイの引き出し方向に平行なディスク装着面とは異なる両側部に付随して構成されることを特徴とする請求項１記載の光ディスク装置。
【請求項５】
第二のレール部は略直方体の形状を成すとともに長手方向を構成する一部がトレイの側部の一部に一体となって構成され、レールは前記長手方向を構成する面を取り囲む形状を成すとともに、前記一体になった部分を回避する欠落部を有することを特徴とする請求項１記載の光ディスク装置。
【請求項６】
第二のレール部のトレイ側側面に対向するレールの構成部に欠落部に向かって突出した突出部を有すことにより規制部を構成し、前記第二のレール部には前記トレイ側側面の前記規制部に対向可能な位置に前記規制部が没入可能な凹部を有し、前記レールが前記規制部を前記凹部に対向する位置にある場合は、前記規制部を前記凹部に没入させながら前記欠落部を通じて前記レールを前記第二のレール部に取り付け及び取り外しすることが可能であり、前記規制部が前記欠落部に対向しない位置においては、前記レールは前記規制部が前記第二のレール部に衝突することにより、前記レールの前記第二のレール部への取り付け及び取り外しが不可能であることを特徴とする請求項１記載の光ディスク装置。
【発明の詳細な説明】
【０００１】
【発明の属する技術分野】
本発明は、電子機器等に搭載されるか或いは電子機器に接続される光ディスク装置に関する。
【０００２】
【従来の技術】
電子機器に搭載されるＣＤ−ＲＯＭ、Ｒ，ＲＷ、ＤＶＤ−ＲＯＭ，ＲＡＭ，Ｒ，ＲＷなどの光ディスク装置のディスク装着方法としては、筐体よりトレイが引き出され、このトレイにディスクを取り付け、再び筐体に戻して装着する方式（以下トレイ方式と称する）が一般的である。以下、従来のトレイ方式の光ディスク装置のローディング部の構成について、図を参照して説明する。
【０００３】
図７は従来のトレイ方式の光ディスク装置を表面から見た外観図である。光ディスク装置１には筐体２及びトレイ３があり、トレイ３にはピックアップモジュール４及びベゼル５が構成されている。図７は、筐体２からトレイ３を引き出した状態を示している。トレイ３の両側部にはレール部６があり、両側部共にレール７とディスク引き出し方向に摺動自在に嵌合している。また、レール７は筐体２両側部内面に設けられたレールガイド８ともディスク引き出し方向に摺動自在に嵌合しており、トレイ３は筐体２からディスクが着脱できるよう引き出すことが出来る。
【０００４】
光ディスク装置１の組み立て工程においては、トレイ３のレール部６にレール７を嵌合し、さらにレール７を筐体２側のレールガイド８を嵌合する。この際トレイ３を引き出しすぎて筐体２から脱落することのないよう、レール部６の筐体２側（Ａ側）の動きについてはストッパが設けられている為、ベゼル５の無い状態でレール部６のベゼル５側かつ長手側端部からレール７を装着し、その後ベゼル５をトレイ３に装着することによって、レール７のベゼル５側（Ｂ側）の動きをベゼル５にて規制する方法がとられていた。
【０００５】
先行例としては、（特許文献１）、（特許文献２）等がある。
【０００６】
【特許文献１】
特開平７−２３５１１１号公報
【特許文献２】
特開平７−２５４２０２号公報
【０００７】
【発明が解決しようとする課題】
しかしながら、このような従来の構成では、トレイ３に設けられたレール部６はベゼル５近傍まで延びていなければならず、トレイ３のベゼル５近傍の設計の上で制限になっていた。さらに、近年の光ディスク装置１の薄型化からレール７の長手方向に垂直な断面形状は小さなものとなっており、組み立て時のレール部６への装着作業の工数増が問題となっていた。
【０００８】
【課題を解決するための手段】
かかる課題を解決するために本発明は、筐体と、ディスク着脱時は前記筐体から引き出しディスク着脱が可能であるとともに前記ディスクの読み書き時には前記ディスクを前記筐体に収納するトレイと、前記筐体と前記トレイを移動自在に保持する保持手段を有し、前記保持手段は前記筐体に設けられた第一のレール部と前記トレイに設けられた第二のレール部と前記第一、第二のレール部に摺動可能に嵌合したレールにより構成される光ディスク装置であって、前記第二のレール部は少なくとも１つの嵌合解除部を有すとともに前記レールは少なくとも１つの規制部を有し、前記第二のレール部の長手方向に垂直な方向からの前記第二のレール部と前記レールの嵌合及び取り外しが、前記嵌合解除部と前記規制部を重ねた場合においてのみ可能である様にした。
【０００９】
これによって、レール部の側部方向からレールの装着が可能になるため、組み立て時のレール部への装着作業が容易となり、組み立て工数を下げることが出来る。また、レール部の側部方向からレールを装着可能な位置は限られているため、最終筐体への取り付け前の仕掛かり状態でのレールの意図しない脱落を回避でき、仕掛かり状態の運搬性が改善される。さらにレール部の長手方向からの装着では無いため、レール部の端部付近の設計、例えばトレイのベゼル近傍の設計自由度を増すことが出来る。
【００１０】
【発明の実施の形態】
請求項１記載の発明は、筐体と、前記筐体から出没自在に取り付けられたトレイと、前記筐体と前記トレイを移動自在に保持する保持手段を有し、前記保持手段は前記筐体に設けられた第一のレール部と前記トレイに設けられた第二のレール部と前記第一、第二のレール部に摺動可能に設けられたレールにより構成される光ディスク装置であって、前記第二のレール部は少なくとも１つの規制解除部を有すとともに前記レールは少なくとも１つの規制部を有し、前記第二のレール部の長手方向に垂直な方向からの前記レールの前記第二のレール部への取り付け及び取り外しが、前記規制解除部と前記規制部を重ねた場合において容易に実現可能としたことを特徴とする光ディスク装置によって、レール部の側部方向からレールの装着が可能になるため、組み立て時のレール部への装着作業が容易となり、組み立て工数を下げることが出来る。また、レール部の側部方向からレールを装着可能な位置は限られているため、最終筐体への取り付け前の仕掛かり状態でのレールの意図しない脱落を回避でき、仕掛かり状態の運搬性が改善される。さらにレール部の長手方向からの装着では無いため、レール部の端部付近の設計、例えばトレイのベゼル近傍の設計自由度を増すことが出来る。
【００１１】
請求項２記載の発明は、第一のレール部と第二のレール部の少なくとも一方は、レールの長手方向の摺動に規制を有することを特徴とする請求項１記載の光ディスク装置によって、組み立て時仕掛かり状態でのレールの意図しない脱落を回避でき、仕掛かり状態の運搬性が改善される。
【００１２】
請求項３記載の発明は、第二のレール部はトレイに複数個構成されるとともに前記各第二のレール部に設けられたレールがあり、前記第二のレール部の長手方向に垂直な方向からの前記レールの前記第二のレール部への取り付け及び取り外しが、少なくとも一組のレール部とレールにおいて可能であることを特徴とする請求項１記載の光ディスク装置によって、長手方向に垂直な方向からの嵌合が可能な前記第二のレール部と前記レールにおいて、組み立て時のレール部への装着作業が容易となり、組み立て工数を下げることが出来る。また、さらにレール部の長手方向からの装着では無いため、レール部の端部付近の設計、例えばトレイのベゼル近傍の設計自由度を増すことが出来る。
【００１３】
請求項４記載の発明は、第二のレール部はトレイの引き出し方向に平行なディスク装着面とは異なる両側部に付随して構成されることを特徴とする請求項１記載の光ディスク装置によって、光ディスク装置を薄型化するのに有効な位置に第二のレール部を配置することが出来る。
【００１４】
請求項５記載の発明は、第二のレール部は略直方体の形状を成すとともに長手方向を構成する一部がトレイの側部の一部に一体となって構成され、レールは前記長手方向を構成する面を取り囲む形状を成すとともに、前記一体になった部分を回避する欠落部を有することを特徴とする請求項１記載の光ディスク装置によって、光ディスク装置を薄型化するのに有効な位置に第二のレール部を配置することが出来る。
【００１５】
請求項６記載の発明は、第二のレール部のトレイ側側面に対向するレールの構成部に欠落部に向かって突出した突出部を有すことにより規制部を構成し、前記第二のレール部には前記トレイ側側面の前記規制部に対向可能な位置に前記規制部が没入可能な凹部を有し、前記レールが前記規制部を前記凹部に対向する位置にある場合は、前記規制部を前記凹部に没入させながら前記欠落部を通じて前記レールを前記第二のレール部に取り付け及び取り外しすることが可能であり、前記規制部が前記欠落部に対向しない位置においては、前記レールは前記規制部が前記第二のレール部に衝突することにより、前記レールの前記第二のレール部への取り付け及び取り外しが不可能であることを特徴とする請求項１記載の光ディスク装置によって、レール部の側部方向からレールの装着がより容易となり、またレール部へのレールの装着後において、意図しないレールの脱落をより低減できる。
【００１６】
以下、本発明の実施の形態について、図面を用いて説明する。図１は本発明の一実施の形態における光ディスク装置を表面から見た外観図、図２は本発明の一実施の形態における光ディスク装置を裏面から見た外観図、図３は本発明の一実施の形態における光ディスク装置のレール部とレールの嵌合状態を示す断面図、図４は本発明の一実施の形態における光ディスク装置のトレイ部分とレールを裏面から見た外観図、図５は本発明の一実施の形態における光ディスク装置のレールをレール部に装着する過程を説明する断面図、図６は本発明の一実施の形態における光ディスク装置のレール部に設けた凹部の拡大図である。なお、図１、図２は、筐体からトレイを引き出した状態を示している。図３はトレイのレール部がある部分をトレイ引き出し方向に垂直な面で切った断面図であり、ディスク装着面を下側にした断面図である。
【００１７】
光ディスク装置１には筐体２及びトレイ３があり、筐体２は２つの部材を嵌合してつくられた多面体の形状をなしており、トレイ３の収納時にディスク装着面１０に対向する上面２ａと上面２ａに略平行な２つの下面２ｂ、２ｃ及び上面２ａと下面２ｂと下面２ｃを連結する側面２ｄから構成される。側面２ｄのうち一面は欠落して開口部２ｅとなっており、開口部２ｅからトレイ３が出没自在となっている。
【００１８】
トレイ３にはピックアップモジュール４が設けられているとともに筐体２側と反対側の端部には着脱可能なベゼル５が設けられている。ピックアップモジュール４にはディスクを回転させるスピンドルモータ４ａと光学的にディスク上に記録されたデータを読み取るかもしくはディスクに所望のデータを書き込む動作の少なくとも一方を行う光ピックアップ４ｂが構成されている。ベゼル５はトレイ３が筐体２に収納されている時は開口部２ｅを塞ぐ機能を有する。トレイ３のベゼル５寄りの一側部には、イジェクト機構９が設けられており、このイジェクト機構９は、トレイ３を筐体２内に収納している時にはベゼル５が開口部２ｅを塞いだ状態を保持するとともに、トレイ３を筐体２から取り出した時にはベゼル５が開口部２ｅを塞いだ状態を解除し、トレイ３に装着されたディスクの取り出しを可能にしている。イジェクト機構９には手動及び電気的な指令で駆動可能な係止部９ａが設けられており、トレイ３収納時には筐体２の下面２ｂに設けられた突起（図示せず）と係止することにより、ベゼル５が開口部２ｅを塞いだ状態を保持するとともに、トレイ３取り出し時には係止が解除されてトレイ３に装着されたディスクが取り出される。さらにトレイ３のディスク装着面１０の反対面には、ピックアップモジュール４とイジェクト機構９を覆うカバー１３が設けられている。
【００１９】
トレイ３の側部３ａには、イジェクト機構９側にレール部６ａ、イジェクト機構９側とは反対側にレール部６ｂがそれぞれ一体に設けられており、レール部６ａにはレール７ａが、レール部６ｂにはレール７ｂがそれぞれディスク引き出し方向に摺動自在に嵌合あるいは取り付けられている。
【００２０】
また、レール７ａ、７ｂは、筐体２の側面２ｄの内面に略平行に設けられた左右対称な一対のレールガイド８に、それぞれディスク引き出し方向に摺動自在に嵌合している。レールガイド８は筐体２の側面２ｄの内面に密着して取り付けられており、レールガイド８に設けられた突起と筐体２に設けられた孔等の係止構造により固定されている。レールガイド８は、レール７の滑り性のよい材質、例えばポリアセタールやポリプロピレン等の樹脂材料が望ましい。
【００２１】
筐体２からのトレイ３の引き出し動作は、手動による係止部９ａの係止の解除、もしくは例えば操作ボタン１２を押すことによる電気的な指令で係止部９ａによる係止を解除して行われるが、筐体２もしくはトレイ３に電気的もしくはバネなどによる駆動手段があって、係止の解除後は自動でディスクが着脱可能な状態まで引き出される方式であっても、係止の解除によってトレイ３が若干引き出され、さらに手動でディスクが着脱可能な状態まで引き出す方式であってもよい。いずれの方式であっても、トレイ３が引き出され過ぎて筐体２から外れないようレール７ａ、７ｂには突起部１４ａ、１４ｂが設けられ、突起部１４ａはトレイ３に設けられた突起部３ｆとの係止により、また突起部１４ｂはレールガイド８もしくは筐体２に設けられた突起部（図示せず）との係止により、トレイ３の引き出され過ぎを防止している。
【００２２】
次にレール部６ａ、６ｂの形状について図を用いて詳細に説明する。
【００２３】
図３に示すように、ディスク装着面１０を水平に配置した場合、レール部６ａ、６ｂの長手方向に垂直な断面形状は略左右対称の形状をなしている。またレール部６ａ、６ｂの長手方向に垂直な断面形状は、トレイ３の外側面３ｂから外側に段差を成す外側面６ｃと、トレイ３の内側面３ｃから外側面３ｂ側に段差を成す内側面６ｄと、外側面６ｃと内側面６ｄをつなぐ底面６ｅと、外側面６ｃとトレイ３の外側面３ｂをつなぐ上面６ｆからなり、内側面６ｄとトレイ３の内側面３ｃはトレイ３の側底面３ｄによってつながっている。外側面６ｃと内側面６ｄは略平行である。底面６ｅと上面６ｆは略平行である。また、嵌合するレール７ａ、７ｂの滑り性を良くするために、内側面６ｄと底面６ｅの交線部分、底面６ｅと外側面６ｃの交線部分、及び外側面６ｃと上面６ｆの交線部分にはそれぞれ面取りがされている。また、上面６ｆには溝部６ｇが、トレイ３の外側面３ｂを一構成面として設けられており、これによってレール７ａ、７ｂの端部のバリ等がレール部６ａ、６ｂに噛み込み、レール７ａ、７ｂの滑り性が低下するのを防止している。
【００２４】
レール部６ａ、６ｂは以上のような断面形状にてトレイ３の引き出し方向に延長した形状を成しているが、レール部６ａ、６ｂに個別にレール７ａ、７ｂのストッパ等の凸部または凹部が部分的に構成されていてもよい。
【００２５】
また、レール部６ａ、６ｂのトレイ３の引き出し方向の形状については、レール部６ｂはトレイ３引き出し方向、トレイ３の筐体２側端部３ｅの位置まで延びており、レール部６ａは他部品との衝突を避けるために、トレイ３引き出し方向、トレイ３の筐体２側端部３ｅの位置の手前に端部がある。一方、ベゼル５側については、レール部６ｂはトレイ３のベゼル５側端部の位置まで延びており、レール部６ａはイジェクト機構９との衝突を避けるためにイジェクト機構９の手前に端部がある。
【００２６】
レール部６ａ、６ｂの上面６ｆ及び溝部６ｇのベゼル５寄りには、突起６ｐがトレイ３収納時レールガイド８と嵌合可能な高さで設けられており、トレイ３の収納時におけるトレイ３のディスク装着面１０に垂直な方向のがたつきを低減している。
【００２７】
レール部６ｂの内側面６ｄのベゼル５寄りには凹部６ｈが設けられている。凹部６ｈについては、レール部６ｂと一体に成型されたのであっても、レール部６ｂを成型後切削など後加工にて形成されたものであってもよい。レール部６ａはイジェクト機構９との衝突を避けるためにイジェクト機構９の手前に端部があるが、レール部６ａとイジェクト機構９及びカバー１３の間には一定の空隙６ｉが設けられている。
【００２８】
次にレール７ａ、７ｂの形状について図を用いて詳細に説明する。
【００２９】
図３、図４に示すように、レール７ａ、７ｂは角形の管形において１角を欠いた形状（以下欠落部７ｇと称する）を主たる形状としており、内側部１１ａ、外側部１１ｂ、底部１１ｃ、上部１１ｄから構成されている。また、ディスク装着面１０を水平に配置した場合、レール７ａ、７ｂの断面形状は略左右対称の形状をなしている。レール７ａ、７ｂの各内面７ｃ、７ｄ、７ｅ、７ｆはそれぞれレール部６ａ、６ｂの各側面６ｃ、６ｄ、６ｅ、６ｆに対向しているとともに、それぞれ略平行に配置されている。欠落部７ｇの幅はレール部６ｂの外側面６ｃと内側面６ｄの幅よりも大きく設定されている。
【００３０】
さらに内側部１１ａには、内面７ｄを延長した面を含む突起部１４ａが設けられている。突起部１４ａの高さは、高い方がレール７ａ、７ｂのレール部６ａ、６ｂからの脱落防止を確実にする上で望ましいが、レール７ａ、７ｂをレール部６ａ、６ｂに嵌合した状態で、突起部１４ａが少なくともトレイ３の側底面３ｄに衝突することの無いよう設定されている。
【００３１】
レール７ａ、７ｂの内面７ｃ、７ｄの間隔は、レール部６ａ、６ｂの外側面６ｃと内側面６ｄの幅にレール７ａ、７ｂが摺動可能な裕度Ｄ（図示せず）を加えて設定されている。レール７ａ、７ｂの内面７ｅ、７ｆの間隔は、レール部６ａ、６ｂの底面６ｅと上面６ｆの幅にレール７ａ、７ｂが摺動可能な裕度Ｅ（図示せず）を加えて設定されている。上記裕度Ｄ、Ｅはレール７ａ、７ｂがレール部６ａ、６ｂを安定して摺動するには０．１ｍｍ〜０．４ｍｍ程度が望ましい。
【００３２】
突起部１４ａは、レール７ａ、７ｂのベゼル５側端部に設けられており、図４に示す幅Ｆはレール部６ｂの凹部６ｈの幅Ｇよりも小さいため、突起部１４ａは凹部６ｈに挿入可能である。
【００３３】
次に、レール７ａ、７ｂをレール部６ａ、６ｂに嵌合する過程について、図５を用いて詳細に説明する。図５ではレール７ｂを嵌合する過程について示しているが、レール７ａを嵌合する過程についても同様である。
【００３４】
レール７ｂをレール部６ｂに嵌合するには、はじめに図５（ａ）に示すように、レール７ｂの突起部１４ａをレール部６ｂの凹部６ｈに挿入しつつ、レール７ｂの欠落部７ｇにレール部６ｂを挿入する。この際レール７ｂは図中Ｈの傾きをもたせ、レール部６ｂの内側面６ｄにレール７ｂの内側部１１ａの内側端部１１ｅを接触させながら、もしくは近接を維持しつつ挿入する。さらに図５（ｂ）に示すように、傾きＨをレール７ｂの上部１１ｄの内側端部１１ｆがレール部６ｂに衝突しないように設定した際、突起部１４ａの内側端部１１ｇが凹部６ｈの底面６ｊに衝突しないように、底面６ｊの位置または突起部１４ａの高さが設定される。
【００３５】
この状態でレール部６ｂを挿入すると、図５（ｂ）に示すようにレール部６ｂの底面外側端部６ｋがレール７ｂの底部１１ｃの内面７ｃに接触するか、レール部６ｂの底面内側端部６ｌがレール７ｂの底部１１ｃの内面７ｅに接触する。底面外側端部６ｋが内面７ｃに接触した場合、この接触状態と、レール部６ｂの内側面６ｄにレール７ｂの内側部１１ａの内側端部１１ｅを接触させた状態を維持しつつ、図５（ｃ）に示すようにレール７ｂをレール部６ｂの廻りに図中Ｉの向きに回転させる。底面内側端部６ｌが内面７ｅに接触した場合も同様に、この接触状態とレール部６ｂの内側面６ｄにレール７ｂの内側部１１ａの内側端部１１ｅを接触させた状態を維持しつつ、図５（ｃ）に示すようにレール７ｂをレール部６ｂの廻りに図中Ｉの向きに回転させる。レール７ｂをレール部６ｂの廻りに図中Ｉの向きに回転させ、上部１１ｄの内側端部１１ｆがレール部６ｂに衝突しないように上部１１ｄの長さＪを設定することにより、図５（ｄ）に示すようにレール７ｂがレール部６ｂに嵌合される。なお、上部１１ｄの長さＪだけでなく、内側部１１ａの長さＫによっても、レール７ｂをレール部６ｂの廻りに図中Ｉの向きに回転させることでレール７ｂがレール部６ｂに嵌合するよう設定可能であるが、嵌合後に脱落が生じ難いよう長さＪ及び長さＫが設定される。
【００３６】
なお、レール７ａとレール部６ａの嵌合については、レール部６ａとイジェクト機構９及びカバー１３の間には一定の空隙６ｉが設けられており、空隙６ｉの幅Ｌはレール７ａの突起部１４ａの幅Ｆよりも大きく設定されている為、突起部１４ａの位置を空隙６ｉの位置に合わせることによって、レール７ｂをレール部６ｂに嵌合する場合と同様に嵌合することが出来る。
【００３７】
レール７ａ、７ｂとレール部６ａ、６ｂがそれぞれ嵌合しているとき、突起部１４ａの位置を凹部６ｈもしくは空隙６ｉの位置に合わせ、嵌合する際とは逆向きに回転させることで、レール７ａ、７ｂを取り外すことが出来るが、突起部１４ａの位置が凹部６ｈもしくは空隙６ｉの位置に合っていない場合は、突起部１４ａがレール部６ａ、６ｂの内側面６ｄに衝突するため、レール７ａ、７ｂにトレイ３引き出し方向に垂直な任意の方向の力を加えたり、レール７ａ、７ｂをレール部６ａ、６ｂの廻りに回転等行っても、レール７ａ、７ｂを取り外すことは出来ない。したがって製品組み立て工程において、レール７ａ、７ｂをレール部６ａ、６ｂに嵌合後、わずかにレール７ａ、７ｂを摺動し、突起部１４ａの位置を凹部６ｈの位置から外しておくことによって、レール７ａ、７ｂの脱落を防ぐことが出来る。
【００３８】
なお、図６に示すように、凹部６ｈは側底面３ｄと底面６ｊと、底面６ｊとレール部６ｂの内側面６ｄをつなぐ側面６ｍ、６ｎから構成されているが、底面６ｊと側面６ｍの成す角Ｊと底面６ｊと側面６ｎの成す角Ｋは鈍角であることが望ましい。角Ｊまたは角Ｋを鈍角にすることにより、レール７ｂがレール部６ｂを摺動する際に、レール７ｂの突起部１４ａが側面６ｍまたは側面６ｎに引っかかることを低減することが出来る。さらに、角Ｊまたは角Ｋは、１２０°〜１６０°の範囲で設定することが、上記効果を得るうえで好ましい。また、内側面６ｄと側面６ｍの交線部分もしくは内側面６ｄと側面６ｎの交線部分は面取りされていても効果的である。また、レール７ｂの摺動が、ストッパ等によりベゼル５側においては突起部１４ａが凹部６ｈに重なる位置までで止まる場合は、底面６ｊと側面６ｍの成す角Ｊを鈍角にするのみで十分である。
【００３９】
また、凹部６ｈのレール部６ｂの内側面６ｄ上の位置、及び突起部１４ａのレール７ｂの内側部１１ａ上の位置については、レール７ｂの摺動により少なくとも凹部６ｈと突起部１４ａが重なることが可能である必要がある。これが可能な限り、凹部６ｈと突起部１４ａは任意の位置に設定できるが、レール７ｂの摺動範囲の端近傍で凹部６ｈと突起部１４ａが重なる様、双方が位置決めされていると、組み立て作業の際のレール７ｂの位置決めが容易であり望ましい。
【００４０】
また、レール７ａとレール部６ａの嵌合については、空隙６ｉを用いているが、レール部６ａの内側面６ｄに凹部６ｈを設けてもよい。
【００４１】
【発明の効果】
以上のように、筐体と、ディスク着脱時は前記筐体から引き出しディスク着脱が可能であるとともに前記ディスクの読み書き時には前記ディスクを前記筐体に収納するトレイと、前記筐体と前記トレイを移動自在に保持する保持手段を有し、前記保持手段は前記筐体に設けられた第一のレール部と前記トレイに設けられた第二のレール部と前記第一、第二のレール部に摺動可能に嵌合したレールにより構成される光ディスク装置であって、前記第二のレール部は少なくとも１つの嵌合解除部を有すとともに前記レールは少なくとも１つの規制部を有し、前記第二のレール部の長手方向に垂直な方向からの前記第二のレール部と前記レールの嵌合及び取り外しが、前記嵌合解除部と前記規制部を重ねた場合においてのみ可能であることを特徴とする光ディスク装置によって、レール部の側部方向からレールを容易に装着出来るようになり、組み立て時のレール部への装着作業が容易となるため、組み立て工数を下げることが出来る。また、レール部の側部方向からレールを装着可能な位置は限られているため、最終筐体への取り付け前の仕掛かり状態での意図しないレールの脱落を回避でき、仕掛かり状態の運搬性が改善される。さらにレール部の長手方向からの装着では無いため、レール部の端部付近の設計、例えばトレイのベゼル近傍の設計自由度を増すことが出来る。
【図面の簡単な説明】
【図１】本発明の一実施の形態における光ディスク装置を表面から見た外観図
【図２】本発明の一実施の形態における光ディスク装置を裏面から見た外観図
【図３】本発明の一実施の形態における光ディスク装置のレール部とレールの嵌合状態を示す断面図
【図４】本発明の一実施の形態における光ディスク装置のトレイ部分とレールを裏面から見た外観図
【図５】本発明の一実施の形態における光ディスク装置のレールをレール部に装着する過程を説明する断面図
【図６】本発明の一実施の形態における光ディスク装置のレール部に設けた凹部の拡大図
【図７】従来のトレイ方式の光ディスク装置を表面から見た外観図
【符号の説明】
１  光ディスク装置
２  筐体
２ａ  上面
２ｂ、２ｃ  下面
２ｄ  側面
２ｅ  開口部
３  トレイ
３ａ  側部
３ｃ  内側面
３ｄ  側底面
３ｅ  端部
４  ピックアップモジュール
４ａ  スピンドルモータ
４ｂ  光ピックアップ
５  ベゼル
６  レール部
６ａ  レール部
６ｂ  レール部
６ｃ  外側面
６ｄ  内側面
６ｅ  底面
６ｆ  上面
６ｇ  溝部
６ｈ  凹部
６ｉ  空隙
６ｊ  底面
６ｋ  底面外側端部
６ｌ  底面内側端部
６ｍ、６ｎ  側面
６ｐ  突起
７  レール
７ａ  レール
７ｂ  レール
７ｃ、７ｄ、７ｅ、７ｆ  内面
７ｇ  欠落部
８  レールガイド
９  イジェクト機構
９ａ  係止部
１０  ディスク装着面
１１ａ  内側部
１１ｂ  外側部
１１ｃ  底部
１１ｄ  上部
１１ｅ  内側端部
１１ｆ  内側端部
１１ｇ  内側端部
１２  操作ボタン
１３  カバー
１４ａ、１４ｂ  突起部
【図１】
2005004885.tif 000003
【図２】
2005004885.tif 000004
【図３】
2005004885.tif 000005
【図４】
2005004885.tif 000006
【図５】
2005004885.tif 000007
【図６】
2005004885.tif 000008
【図７】
2005004885.tif 000009